(57)【特許請求の範囲】
【請求項１】
受信信号に対してＦＦＴ処理を行うことにより各搬送波により伝送された信号を抽出するＦＦＴ手段と、前記各搬送波により伝送された信号のうち、受信レベルがしきい値より大きい信号には、位相変動補償処理および振幅変動補償処理を行い、受信レベルがしきい値以下である信号には、位相変動補償処理を行う補償手段と、補償処理後の前記各搬送波により伝送された信号を用いて生成された一系列の信号に対して逆拡散処理を行う逆拡散手段と、を具備することを特徴とするＯＦＤＭ−ＣＤＭＡ方式受信装置。
【請求項２】
前記補償手段は、前記各搬送波により伝送された信号に対する補償処理を、少なくとも１つの搬送波により伝送された信号毎に順次実行することを特徴とする請求項１に記載のＯＦＤＭ−ＣＤＭＡ方式受信装置。
【請求項３】
前記補償手段は、前記各搬送波により伝送された信号に対して位相変動補償処理および振幅変動補償処理を実行可能な１つの回路により構成されることを特徴とする請求項１または請求項２に記載のＯＦＤＭ−ＣＤＭＡ方式受信装置。
【請求項４】
請求項１から請求項３のいずれかに記載のＯＦＤＭ−ＣＤＭＡ方式受信装置を備えたことを特徴とする基地局装置。
【請求項５】
受信信号に対してＦＦＴ処理を行うことにより各搬送波により伝送された信号を抽出するＦＦＴ工程と、前記各搬送波により伝送された信号のうち、受信レベルがしきい値より大きい信号には、位相変動補償処理および振幅変動補償処理を行い、受信レベルがしきい値以下である信号には、位相変動補償処理を行う補償工程と、補償処理後の前記各搬送波により伝送された信号を用いて生成された一系列の信号に対して逆拡散処理を行う逆拡散工程と、を具備することを特徴とするＯＦＤＭ−ＣＤＭＡ方式受信方法。
【発明の詳細な説明】
【０００１】
【発明の属する技術分野】
本発明は、移動体通信システムに用いられる受信装置に関し、特に、ＣＤＭＡ（Ｃｏｄｅ  Ｄｉｖｉｓｉｏｎ  Ｍｕｌｔｉｐｌｅ  Ａｃｃｅｓｓ）方式にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を組み合わせたＯＦＤＭ−ＣＤＭＡ方式の受信装置に関する。
【０００２】
【従来の技術】
近年、ＣＤＭＡ方式にＯＦＤＭ方式を組み合わせたＯＦＤＭ−ＣＤＭＡ方式の通信装置についての検討が盛んに行われている。以下、従来のＯＦＤＭ−ＣＤＭＡ方式の通信装置について、図６を参照して説明する。図６は、従来のＯＦＤＭ−ＣＤＭＡ方式の受信装置の構成を示すブロック図である。
【０００３】
図６において、通信相手から送信された信号が、アンテナ６１を介して受信される。ここで、上記通信相手は、送信信号（送信信号１〜送信信号ｎ）に対して相互に異なるｎ個の拡散符号を用いて拡散処理を行い、拡散処理後の各送信信号を拡散信号（チップ）毎に分解し、さらに、チップ毎に分解された各信号を各サブキャリアに割り当てて周波数分割多重した信号を、図６に示す受信装置に対して送信する。なお、ここでは、サブキャリア数をｋとする。
【０００４】
アンテナ６１を介して受信された信号（受信信号）は、ＦＦＴ部６２に送られる。ＦＦＴ６２では、受信信号に対してＦＦＴ（フーリエ変換）処理がなされる。これにより、各サブキャリアにより送信された信号が取り出される。
【０００５】
ここで、アンテナ６１からの受信信号における各サブキャリアの配置の様子は、図７に示すように、サブキャリア＃１には、通信相手により拡散処理された送信信号１〜送信信号ｎの第１チップが配置され、同様に、サブキャリア＃ｋには、通信相手により拡散処理された送信信号１〜送信信号ｎの第ｋチップが配置されたものとなっている。したがって、ＦＦＴ部６２では、拡散処理された送信信号１〜送信信号ｎの第１チップ、…、拡散処理された送信信号１〜送信信号ｎの第ｋチップが、受信信号から取り出される。取り出された第１チップ〜第ｋチップは、それぞれ伝送路補償部６３ａ１〜伝送路補償部６３ａｋに送られる。
【０００６】
伝送路補償部６３ａ１〜伝送路補償部６３ａｋでは、ＦＦＴ部６２からの信号に対する伝送路補償処理がなされる。ここで、伝送路補償処理として、位相補償および振幅補償を行うことが可能である。ところが、振幅補償がなされた場合には、受信レベルが落ち込んだサブキャリアにより伝送された信号については、雑音成分も大きく増幅されることになる。よって、周波数ダイバーシチ効果が低減し、得られる復調信号の誤り率特性が劣化する。そこで、伝送路補償処理としては、周波数ダイバーシチ効果を得るために、位相補償のみが行われる。
【０００７】
パラレル・シリアル（Ｐａｒａｌｌｅｌ−Ｓｅｒｉａｌ；Ｐ／Ｓ）変換部６４では、伝送路補償部６３ａ１〜伝送路補償部６３ａｋからの複数系列の信号が一系列の信号に変換される。すなわち、時刻ｔ１においては、拡散処理された送信信号１〜送信信号ｎの第１チップが出力され、時刻ｔｋにおいては、拡散処理された送信信号１〜送信信号ｎの第ｋチップが出力される。Ｐ／Ｓ変換部６４からの一系列の信号は、逆拡散部６５ａ１〜逆拡散部６５ａｎに送られる。
【０００８】
逆拡散部６５ａ１〜逆拡散部６５ａｎでは、Ｐ／Ｓ変換部６４からの信号に対して、相互に異なるｎ個の拡散符号を用いた逆拡散処理がなされる。
【０００９】
【発明が解決しようとする課題】
しかしながら、従来のＯＦＤＭ−ＣＤＭＡ方式の受信装置においては、以下に示すような問題がある。すなわち、マルチパス環境下では、図８に示すように、受信信号における各サブキャリアは、独立してフェージング変動の影響を受けるため、各サブキャリア毎に受信振幅が異なる。これにより、拡散符号間の直交性が崩れるため、各拡散符号間には干渉が生ずる。この結果、送信信号に多重できる信号数が減少するので、伝送容量が低下することになる。
【００１０】
ここで、拡散符号間の直交性が崩れる具体例について説明する。例えば、希望の拡散符号を［＋１，−１，＋１，＋１］（拡散比４）とし、他の拡散符号を［−１，＋１，＋１，＋１］とする。理論的には、上記希望の拡散符号と上記他の拡散符号との相関結果は、次式に示すように０となる。すなわち、上記各拡散符号間には、直交性が保たれている。
0003581278.tif 000002
【００１１】
ところが、マルチパス環境下においては、各サブキャリアの受信振幅には、フェージング変動の影響により偏差が生ずる。この影響により、受信時における上記他の拡散符号が、例えば、［−６，＋３，＋０．５，＋０．１］となった場合には、上記希望の拡散符号と上記他の拡散符号との相関結果は、次式に示すものとなる。
0003581278.tif 000003
すなわち、上記各拡散符号間の直交性は崩れる。これにより、各拡散符号間には、干渉が生ずることになる。
【００１２】
以上のように、従来のＯＦＤＭ−ＣＤＭＡ方式の受信装置においては、マルチパス環境下では、フェージング変動の影響により、各拡散符号間の直交性が崩れることにより、伝送容量が低下するという問題がある。
【００１３】
この問題を解決するために、伝送路補償処理として位相補償および振幅補償を行う方法があるが、振幅補償処理を行った場合には、受信レベルが落ち込んだサブキャリアにより伝送された信号については、雑音成分も大きく増幅されることになる。この結果、周波数ダイバーシチ効果が低減し、得られる復調信号の誤り率特性が劣化する、という新たな問題が発生する。
【００１４】
本発明は、かかる点に鑑みてなされたものであり、ハード規模を増大させることなく、各拡散符号間における直交性の崩れの低減化と周波数ダイバーシチ効果の維持とを両立させるＯＦＤＭ−ＣＤＭＡ方式の受信装置を提供することを目的とする。
【００１５】
【課題を解決するための手段】
本発明のＯＦＤＭ−ＣＤＭＡ方式受信装置は、受信信号に対してＦＦＴ処理を行うことにより各搬送波により伝送された信号を抽出するＦＦＴ手段と、前記各搬送波により伝送された信号のうち、受信レベルがしきい値より大きい信号には、位相変動補償処理および振幅変動補償処理を行い、受信レベルがしきい値以下である信号には、位相変動補償処理を行う補償手段と、補償処理後の前記各搬送波により伝送された信号を用いて生成された一系列の信号に対して逆拡散処理を行う逆拡散手段と、を具備することを特徴とする。
【００１６】
本発明によれば、受信レベルがしきい値より大きい搬送波により伝送された信号については、振幅変動補償処理により最適な振幅とされるので、全搬送波により伝送された信号のうち、最適な振幅に補償される信号の総数は、全体として増加する。さらに、受信レベルが落ち込んだ搬送波により伝送された信号については、振幅変動補償処理を行わないので、雑音成分を大きく増幅させることを防止することができる。したがって、各拡散符号間における直交性の崩れの低減化と周波数ダイバーシチ効果の維持とを両立させることができるので、伝送容量の低下を抑えることができるとともに、得られる復調信号の誤り率特性の劣化を抑えることができる。
【００１７】
本発明のＯＦＤＭ−ＣＤＭＡ方式受信装置は、前記補償手段は、前記各搬送波により伝送された信号に対する補償処理を、少なくとも１つの搬送波により伝送された信号毎に順次実行することを特徴とする。
【００１８】
本発明によれば、位相変動補償処理および振幅変動補償処理を行う回路を搬送波毎に設ける必要がないので、ハード規模を低減しつつ処理速度を向上させることができる。
【００１９】
本発明のＯＦＤＭ−ＣＤＭＡ方式受信装置は、前記補償手段は、前記各搬送波により伝送された信号に対して位相変動補償処理および振幅変動補償処理を実行可能な１つの回路により構成されることを特徴とする
【００２０】
本発明によれば、位相変動補償処理を行う部分と振幅変動補償処理を行う部分と、を１つの回路により構成することができるので、さらにハード規模を低減することができる。
【００２１】
本発明の基地局装置は、上記いずれかのＯＦＤＭ−ＣＤＭＡ方式受信装置を備えたことを特徴とする。
【００２２】
本発明によれば、各拡散符号間における直交性の崩れの低減化と周波数ダイバーシチ効果の維持とを両立させるＯＦＤＭ−ＣＤＭＡ方式受信装置を搭載するので、良好な通信を行う基地局装置を提供することができる。
【００２５】
本発明のＯＦＤＭ−ＣＤＭＡ方式受信方法は、受信信号に対してＦＦＴ処理を行うことにより各搬送波により伝送された信号を抽出するＦＦＴ工程と、前記各搬送波により伝送された信号のうち、受信レベルがしきい値より大きい信号には、位相変動補償処理および振幅変動補償処理を行い、受信レベルがしきい値以下である信号には、位相変動補償処理を行う補償工程と、補償処理後の前記各搬送波により伝送された信号を用いて生成された一系列の信号に対して逆拡散処理を行う逆拡散工程と、を具備することを特徴とする。
【００２６】
本発明によれば、受信レベルがしきい値より大きい搬送波により伝送された信号については、振幅変動補償処理により最適な振幅とされるので、全搬送波により伝送された信号のうち、最適な振幅に補償される信号の総数は、全体として増加する。さらに、受信レベルが落ち込んだ搬送波により伝送された信号については、振幅変動補償処理を行わないので、雑音成分を大きく増幅させることを防止することができる。したがって、各拡散符号間における直交性の崩れの低減化と周波数ダイバーシチ効果の維持とを両立させることができるので、伝送容量の低下を抑えることができるとともに、得られる復調信号の誤り率特性の劣化を抑えることができる。
【００２７】
【発明の実施の形態】
本発明の骨子は、各搬送波により伝送された信号のうち、受信レベルがしきい値より大きい信号には、位相および振幅についての補償を行い、受信レベルがしきい値以下である信号には、位相についての補償のみを行うようにしたことである。
【００２８】
以下、本発明の実施の形態について、図面を参照して詳細に説明する。
【００２９】
（実施の形態１）
図１は、本発明の実施の形態１にかかるＯＦＤＭ−ＣＤＭＡ方式の受信装置の構成を示すブロック図である。図１において、通信相手から送信された信号が、アンテナ１０１を介して受信される。ここで、上記通信相手は、送信信号（送信信号１〜送信信号ｎ）に対して相互に異なるｎ個の拡散符号を用いて拡散処理を行い、拡散処理後の各送信信号を拡散信号（チップ）毎に分解し、さらに、チップ毎に分解された各信号を各サブキャリア（搬送波）に割り当てて周波数分割多重した信号を、図１に示す受信装置に対して送信する。なお、ここでは、一例としてサブキャリア数をｋとした場合について説明するが、サブキャリア数に限定はない。
【００３０】
アンテナ１０１を介して受信された信号（受信信号）は、ＦＦＴ部１０２に送られる。ＦＦＴ部１０２では、受信信号に対してＦＦＴ処理がなされる。これにより、各サブキャリアにより送信された信号が取り出される。具体的には、ＦＦＴ部１０２では、拡散処理された送信信号１〜送信信号ｎの第１チップ、…、拡散処理された送信信号１〜送信信号ｎの第ｋチップが、受信信号から取り出される。取り出された第１チップ〜第ｋチップは、それぞれ第１伝送路補償部１０３ａ１および第２伝送路補償部１０４ａ１〜第１伝送路補償部１０３ａｋおよび第２伝送路補償部１０４ａｋに送られる。
【００３１】
第１伝送路補償部１０３ａ１〜第１伝送路補償部１０３ａｋでは、サブキャリア１により送信された信号〜サブキャリアｋにより送信された信号に対して、位相変動についての補償処理（以下「位相変動補償処理」という。）がなされる。なお、各第１伝送路補償部における内部処理については後述する。第１伝送路補償部１０３ａ１〜第１伝送路補償部１０３ａｋにより位相変動補償処理がなされた各信号は、それぞれセレクタ１０５ａ１〜セレクタ１０５ａｋに送られる。
【００３２】
第２伝送路補償部１０４ａ１〜第２伝送路補償部１０４ａｋでは、サブキャリア１により送信された信号〜サブキャリアｋにより送信された信号に対して、位相変動補償処理だけでなく振幅変動についての補償処理（以下「振幅変動補償処理」という。）もなされる。また、第２伝送路補償部１０４ａ１〜第２伝送路補償部１０４ａｋでは、それぞれサブキャリア１により送信された信号〜サブキャリアｋにより送信された信号の受信レベルの測定がなされる。なお、各第２伝送路補償部における内部処理については後述する。
【００３３】
第２伝送路補償部１０４ａ１〜第２伝送路補償部１０４ａｋにより位相変動補償処理および振幅変動補償処理がなされた各信号は、それぞれセレクタ１０５ａ１〜セレクタ１０５ａｋに送られる。また、第２伝送路補償部１０４ａ１〜第２伝送路補償部１０４ａｋにより測定された受信レベルは、それぞれ大小比較部１０６ａ１〜大小比較部１０６ａｋに送られる。
【００３４】
大小比較部１０６ａ１〜大小比較部１０６ａｋでは、それぞれ第２伝送路補償部１０４ａ１〜第２伝送路補償部１０４ａｋからの受信レベルとしきい値との比較がなされる。ここで、上記しきい値を固定値としてもよいし、また、上記しきい値を回線品質等に応じて適応的に変化させるようにしてもよい。大小比較部１０６ａ１〜大小比較部１０６ａｋによる比較結果は、それぞれセレクタ１０５ａ１〜セレクタ１０５ａｋに送られる。
【００３５】
セレクタ１０５ａ１〜セレクタ１０５ａｋでは、それぞれ大小比較部１０６ａ１〜大小比較部１０６ａｋからの比較結果に応じて、第１伝送路補償部または第２伝送路補償部のいずれかにより伝送路補償された信号がＰ／Ｓ変換部１０７に出力される。具体的には、受信レベルがしきい値よりも大きい場合には、各セレクタにより、第２伝送路補償部にて位相変動補償処理および振幅変動補償処理された信号がＰ／Ｓ変換部１０７に出力される。逆に、受信レベルがしきい値以下である場合には、各セレクタにより、第１伝送路補償部にて位相変動補償処理された信号がＰ／Ｓ変換部１０７に出力される。
【００３６】
Ｐ／Ｓ変換部１０７では、セレクタ１０５ａ１〜セレクタ１０５ａｋからの複数系列の信号が一系列の信号に変換される。すなわち、時刻ｔ１においては、拡散処理および伝送路補償処理された信号の第１チップが出力され、時刻ｔｋにおいては、拡散処理および伝送路補償処理された信号の第ｋチップが出力される。Ｐ／Ｓ変換部１０７からの一系列の信号は、逆拡散部１０８ａ１〜逆拡散部１０８ａｎに送られる。
【００３７】
逆拡散部１０８ａ１〜逆拡散部１０８ａｎでは、Ｐ／Ｓ変換部１０７からの信号に対して、相互に異なるｎ個の拡散符号を用いた逆拡散処理がなされる。なお、逆拡散部１０８ａ１〜逆拡散部１０８ａｎのそれぞれにより用いられる拡散符号は、上記通信相手が送信信号１〜送信信号ｎに対する各拡散処理時に用いた拡散符号と同一であることはいうまでもない。
【００３８】
次いで、各第１伝送路補償部の内部処理について、図２を参照して説明する。図２は、本発明の実施の形態１にかかるＯＦＤＭ−ＣＤＭＡ方式の受信装置における第１伝送路補償部の内部構成を示すブロック図である。
【００３９】
図２において、受信信号（ＲＸ１）は、切換部２０１を介して、乗算部２０２、乗算部２０３、および生成部２０４に送られる。なお、この受信信号（ＲＸ１）は、図１に示したＦＦＴ部１０２によりサブキャリア毎に取り出された信号である。
【００４０】
ここで、受信信号（ＲＸ１）を次式により表現する。
ＲＸ１＝Ｒ１×ｅｊθ１×ＴＸ      （３）
ただし、Ｒ１はフェージング等による振幅変動であり、θ１はフェージング変動等による位相変動であり、ＴＸは通信相手により送信された信号（送信信号）である。
【００４１】
また、上式（３）により表現された受信信号におけるパイロット区間の信号、すなわち、パイロット区間の受信信号（ＲＸＰ１）を次式により表現する。
ＲＸＰ１＝Ｒ１×ｅｊθ１×Ｐｉｒｏｔ      （４）
ただし、Ｐｉｒｏｔはパイロットシンボルである。
【００４２】
乗算部２０３では、受信信号（ＲＸ１）とパイロットシンボル（Ｐｉｒｏｔ）とを用いた複素乗算処理が行われることにより、伝送路特性が推定される。すなわち、上式（４）により表現されたパイロットシンボル区間の受信信号（ＲＸＰ１）に対して、パイロットシンボル（Ｐｉｒｏｔ）の共役複素数（Ｐｉｒｏｔ＊）が乗算されることにより、次の式に示すような伝送路特性（Ｐｒｏｆｉｌｅ１）が得られる。
【００４３】
0003581278.tif 000004
ここで、｜Ｐｉｒｏｔ｜２＝１とすると、上式（５）は次に示す式により表現される。
Ｐｒｏｆｉｌｅ１＝Ｒ１×ｅｊθ１      （６）
得られた伝送路特性（Ｐｒｏｆｉｌｅ１）は、除算部２０５に送られる。
【００４４】
一方、生成部２０４では、受信信号（ＲＸ１）の受信振幅（Ｒ１）が検出される。この受信振幅（Ｒ１）は、除算部２０５に送られる。
【００４５】
除算部２０５では、乗算部２０３からの伝送路特性（Ｐｒｏｆｉｌｅ１）および生成部２０４からの受信振幅（Ｒ１）とを用いて、次のような除算処理がなされる。
Ｐｒｏｆｉｌｅ１／Ｒ１＝ｅｊθ１      （７）
除算部２０５における除算処理結果は、乗算部２０２に送られる。
【００４６】
乗算部２０２では、除算部２０５における除算処理結果を用いて、受信信号に対する位相変動補償処理がなされる。すなわち、切換部２０１からの受信信号（ＲＸ１）に対して、上式（７）の共役複素数が乗算されることにより、次の式に示すように、復調信号が得れらる。
ＲＸ１×ｅｊ−θ１＝Ｒ１×ｅｊθ１×ＴＸ×ｅｊ−θ１＝Ｒ１×ＴＸ    （８）
このような位相変動補償処理がなされた信号は、各第１伝送路補償部に対応するセレクタ（図１参照）に出力される。
【００４７】
次いで、各第２伝送路補償部の内部処理について、図３を参照して説明する。図３は、本発明の実施の形態１にかかるＯＦＤＭ−ＣＤＭＡ方式の受信装置における第２伝送路補償部の内部構成を示すブロック図である。なお、図３に示す第２伝送路補償部は、図２に示した第１伝送路補償部において、生成部２０４に代えて生成部３０１を用いたものである。ここで、図３における図２と同様の構成については、図２と同一の符号を付して、詳しい説明を省略する。
【００４８】
生成部３０１では、受信信号（ＲＸ１）の受信電力が算出される。受信信号（ＲＸ１）の受信電力は、上式（３）よりＲ１２となる。受信信号（ＲＸ１）の受信電力は、除算部２０５に送られる。
【００４９】
除算部２０５では、乗算部２０３からの伝送路特性（Ｐｒｏｆｉｌｅ１）と生成部３０１からの受信電力とを用いて、次のような除算処理がなされる。
Ｐｒｏｆｉｌｅ１／Ｒ１２＝ｅｊθ１／Ｒ１      （９）
除算部２０５における除算処理結果は、乗算部２０２に送られる。
【００５０】
乗算部２０２では、除算部２０５における除算処理結果を用いて、受信信号に対する位相変動補償処理および振幅変動補償処理がなされる。すなわち、切換部２０１からの受信信号（ＲＸ１）に対して、上式（９）の共役複素数が乗算されることにより、次の式に示すように、復調信号が得られる。
0003581278.tif 000005
このような位相変動補償処理および振幅変動補償処理がなされた信号は、各第２伝送路補償部に対応するセレクタ（図１参照）に出力される。
【００５１】
以上のように、あるサブキャリアの信号レベルがしきい値より大きい場合には、このサブキャリアにより送信された信号に対して位相変動補償処理と振幅変動補償処理を行い、逆に、上記サブキャリアの信号レベルがしきい値以下である場合には、このサブキャリアにより送信された信号に対して位相変動補償処理のみを行う、という処理が各サブキャリア毎に実行される。これにより、各拡散符号間の直交性の崩れを低減することができるとともに、周波数ダイバーシチ効果を維持することができる。
【００５２】
ここで、本実施の形態にかかるＯＦＤＭ−ＣＤＭＡ方式の受信装置による効果について、具体例を挙げて説明する。例えば、希望の拡散符号を［＋１，−１，＋１，＋１］（拡散比４）とし、他の拡散符号を［−１，＋１，＋１，＋１］とする。理論的には、上記希望の拡散符号と上記他の拡散符号との相関結果は、上式（１）に示したように、０となる。すなわち、上記各拡散符号間には、直交性が保たれている。
【００５３】
上述したように、マルチパス環境下においては、各サブキャリアの受信振幅には、フェージング変動の影響により偏差が生ずる。この影響により、受信時における上記他の拡散符号が、例えば、［−６，＋３，＋０．５，＋０．１］となった場合には、従来方式では、上記希望の拡散符号と上記他の拡散符号との相関結果は、上式（２）に示したように、０とはならない。すなわち、上記各拡散符号間の直交性は崩れる。
【００５４】
一方、本実施の形態では、図１における大小比較部１０６ａ１〜大小比較部１０６ａｋに入力されるしきい値を例えば「１」とすると、受信振幅値が１より大きいサブキャリアにより送信された信号は、位相変動補償処理および振幅変動補償処理がなされる。これにより、上記他の拡散符号における第１チップ「−６」および第２チップ「＋３」は、上記補償処理により、それぞれ「−１」および「＋１」となる。したがって、上記希望の拡散符号と上記他の拡散符号との相関結果は、次式に示すものとなる。
0003581278.tif 000006
【００５５】
上式（１１）と上式（２）との比較から明らかなように、従来と比べて各拡散符号間の直交性の崩れが低減されている。さらに、信号レベルがしきい値より大きいサブキャリアにより送信された信号のみに対して、位相変動補償処理と振幅変動補償処理を行い、受信レベルが落ち込んだサブキャリアにより送信された信号については、位相変動補償処理のみを行うことにより、雑音成分を大きく増幅させることを防止することができる。これにより、周波数ダイバーシチ効果を維持することができる。
【００５６】
このように、本実施の形態によれば、全サブキャリアのうち、その受信レベルがしきい値より大きいサブキャリアにより伝送された信号に対しては、位相と振幅の両方を補償し、また、その受信レベルがしきい値以下であるサブキャリアにより伝送された信号に対しては、位相のみを補償している。これにより、受信レベルが上記しきい値より大きいサブキャリアにより伝送された信号については、振幅変動補償処理により最適な振幅とされる。
【００５７】
したがって、受信レベルが上記しきい値以下であるサブキャリアにより伝送された信号については、振幅変動補償処理がなされないものの、上記振幅変動補償処理を実行することにより、全サブキャリアにより伝送された信号のうち、最適な振幅に補償される信号の総数は、全体として増加する。
【００５８】
さらに、受信レベルが落ち込んだサブキャリアにより伝送された信号については、振幅変動補償処理を行わないので、雑音成分を大きく増幅させることを防止することができる。
【００５９】
この結果、各拡散符号間における直交性の崩れの低減化と周波数ダイバーシチ効果の維持とを両立させることができるので、伝送容量の低下を抑えることができるとともに、得られる復調信号の誤り率特性の劣化を抑えることができる。
【００６０】
また、第１伝送路補償回路および第２伝送路補償回路のハード規模は、ＦＦＴ部のハード規模に比べて十分小さいものであるため、ハード規模を増大させることなく、上記効果を得ることができる。
【００６１】
なお、本実施の形態においては、第１伝送路補償回路および第２伝送路補償回路をともにサブキャリア数分だけ設けた場合について説明したが、本発明は、これに限定されず、第１伝送路補償回路および第２伝送路補償回路をそれぞれ１つだけ設け、これらの伝送路補償回路を全サブキャリアに対して時系列的に用いるようにした場合、すなわち、各サブキャリアにより伝送された信号に対する補償処理を、１つのサブキャリアにより伝送された信号毎に順次実行するようにした場合、についても適用可能なものである。これにより、さらにハード規模を低減することができる。
【００６２】
また、本発明は、第１伝送路補償回路および第２伝送路補償回路をそれぞれ少なくとも２つだけ設け、これらの伝送路補償回路を全サブキャリアに対して時系列的に用いるようにした場合、すなわち、各サブキャリアにより伝送された信号に対する補償処理を、少なくとも２つのサブキャリアにより伝送された信号毎に順次実行するようにした場合、についても適用可能なものである。これにより、ハード規模を低減しつつ処理速度を向上させることができる。
【００６３】
さらに、本実施の形態においては、ダイバーシチを行わない場合について説明したが、本発明は、これに限定されず、選択ダイバーシチ、等利得合成ダイバーシチや最大比合成ダイバーシチ等の様々なダイバーシチを行った場合についても適用可能なものである。
【００６４】
（実施の形態２）
実施の形態２は、実施の形態１において、第１伝送路補償部と第２伝送路補償部とを１つの回路で構成することにより、ハード規模をさらに低減するようにした形態である。以下、本実施の形態にかかるＯＦＤＭ−ＣＤＭＡ方式の受信装置について、図４を参照して説明する。図４は、本発明の実施の形態２にかかるＯＦＤＭ−ＣＤＭＡ方式の受信装置の構成を示すブロック図である。なお、図４における実施の形態１（図１）と同様の構成要素については、図１と同一の符号を付して、詳しい説明を省略する。
【００６５】
ＦＦＴ部１０２からの各サブキャリアにより送信された信号は、それぞれ、第３伝送路補償部４０１ａ１〜第３伝送路補償部４０１ａｋに送られる。
第３伝送路補償部４０１ａ１〜第３伝送路補償部４０１ａｋでは、それぞれ、各サブキャリアの受信レベルがしきい値より大きい場合には、このサブキャリアにより送信された信号に対して、位相変動補償処理および振幅変動補償処理がなされ、逆に、各サブキャリアの受信レベルがしきい値以下である場合には、このサブキャリアにより送信された信号に対して、位相変動補償処理のみがなされる。
【００６６】
各第３伝送路補償部により所定の補償処理がなされた信号は、Ｐ／Ｓ変換部１０７に送られる。以後の処理は、上述した実施の形態１と同様である。
【００６７】
次いで、各第３伝送路補償部における内部処理について、図５を参照して説明する。図５は、本発明の実施の形態２にかかるＯＦＤＭ−ＣＤＭＡ方式の受信装置における第３伝送路補償部の内部構成を示すブロック図である。なお、図５における第１伝送路補償回路（図２）および第２伝送路補償回路（図３）と同様の構成要素については、図２および図３と同一の符号を付して詳しい説明を省略する。
【００６８】
大小比較部５０１では、生成部３０１からの受信信号（ＲＸ１）の受信電力としきい値との比較が行われる。この大小比較部５０１による比較結果は、セレクタ５０２に送られる。
【００６９】
セレクタ５０２では、大小比較部５０１からの比較結果に応じて、除算部２０５への出力信号として、生成部２０４からの受信信号（ＲＸ１）の受信振幅（Ｒ１）または生成部３０１からの受信信号（ＲＸ１）の受信電力のいずれかが選択される。具体的には、受信電力がしきい値より大きい場合には、セレクタ５０２により生成部３０１からの受信電力が選択され、逆に、受信電力がしきい値以下である場合には、セレクタ５０２により生成部２０４からの受信振幅が選択される。
【００７０】
除算部２０５には、セレクタ５０２により選択された信号が入力される。除算部２０５では、セレクタ５０２からの信号を用いた除算処理、すなわち、上式（７）または上式（９）により表現される除算処理がなされる。以後の処理は、上述した実施の形態１と同様である。
【００７１】
このように、本実施の形態によれば、位相変動補償処理を行う第１伝送路補償部と、位相変動補償処理および振幅変動補償処理を行う第２伝送路補償部と、を１つの回路により構成することができるので、上述した実施の形態１に比べて、さらにハード規模を低減することができる。
【００７２】
本発明にかかるＯＦＤＭ−ＣＤＭＡ方式の受信装置は、ディジタル移動体通信システムにおける基地局装置に搭載可能なものである。
【００７３】
【発明の効果】
以上説明したように、本発明によれば、各搬送波により伝送された信号のうち、受信レベルがしきい値より大きい信号には、位相および振幅についての補償を行い、受信レベルがしきい値以下である信号には、位相についての補償のみを行うようにしたので、ハード規模を増大させることなく、各拡散符号間における直交性の崩れの低減化と周波数ダイバーシチ効果の維持とを両立させるＯＦＤＭ−ＣＤＭＡ方式の受信装置を提供することができる。
【図面の簡単な説明】
【図１】本発明の実施の形態１にかかるＯＦＤＭ−ＣＤＭＡ方式の受信装置の構成を示すブロック図
【図２】本発明の実施の形態１にかかるＯＦＤＭ−ＣＤＭＡ方式の受信装置における第１伝送路補償部の内部構成を示すブロック図
【図３】本発明の実施の形態１にかかるＯＦＤＭ−ＣＤＭＡ方式の受信装置における第２伝送路補償部の内部構成を示すブロック図
【図４】本発明の実施の形態２にかかるＯＦＤＭ−ＣＤＭＡ方式の受信装置の構成を示すブロック図
【図５】本発明の実施の形態２にかかるＯＦＤＭ−ＣＤＭＡ方式の受信装置における第３伝送路補償部の内部構成を示すブロック図
【図６】従来のＯＦＤＭ−ＣＤＭＡ方式の受信装置の構成を示すブロック図
【図７】従来のＯＦＤＭ−ＣＤＭＡ方式の受信装置の受信信号におけるサブキャリアの配置の一例を示す模式図
【図８】従来のＯＦＤＭ−ＣＤＭＡ方式の受信装置の受信信号におけるサブキャリア毎にフェージング変動を受けた場合の各サブキャリアの様子を示す模式図
【符号の説明】
１０１  アンテナ
１０２  ＦＦＴ部
１０３ａ１〜１０３ａｋ  第１伝送路補償部
１０４ａ１〜１０４ａｋ  第２伝送路補償部
１０５ａ１〜１０５ａｋ  セレクタ
１０６ａ１〜１０６ａｋ  大小比較部
４０１ａ１〜４０１ａｋ  第３伝送路補償部
【図１】
0003581278.tif 000007
【図２】
0003581278.tif 000008
【図３】
0003581278.tif 000009
【図４】
0003581278.tif 000010
【図５】
0003581278.tif 000011
【図６】
0003581278.tif 000012
【図７】
0003581278.tif 000013
【図８】
0003581278.tif 000014